(57)【要約】【課題】  組立性の向上及び性能の向上を図ると共に、メンテナンス性の容易化を図ること。【解決手段】  保持器３の柱の軸方向に、１箇所のみ割れ目４が設けてある。こうしておけば、割れ目４の１箇所の合口部でのみ分離することにより、円周方向に容易に内輪１の小径側鍔１ａを乗り越えることが可能で、乗り越え後は小径側鍔１ａを乗り越えることができない状態に戻るように弾性変形させることが出来る。円錐ころ２と保持器３を内輪１に組み込む際、円錐ころ２が内輪１の小径側鍔１ａを乗り越えられる分だけ、保持器３の割れ目４から保持器３を円周方向に弾性変形させ、小径側より内輪１を軸方向に組み込む。こうすることで、保持器３の底押しを行う必要が無く、保持器３の加締めを行う必要も無い。【選択図】  図２
2006250290.tif 000002
【特許請求の範囲】
【請求項１】
一対の軌道輪の間に、ころが転動自在に介装してあり、 かご型保持器を用いたころ軸受に於いて、
少なくとも一方の前記軌道輪は、少なくとも１箇所の鍔を有し、
前記保持器の柱に、１箇所の割れ目が設けてあることを特徴とするころ軸受。
【請求項２】
前記保持器の柱に設けた１箇所の割れ目により、前記保持器を円周方向に弾性変形して、前記軌道輪の鍔部を乗り越えることが可能であることを特徴とする請求項１に記載のころ軸受。
【請求項３】
円錐ころ軸受であることを特徴とする請求項１又は２に記載のころ軸受。
【発明の詳細な説明】
【技術分野】
【０００１】
本発明は、主に一般産業用機械に組み込まれ、組立性の向上及び性能の向上を図ったころ軸受に関する。
【背景技術】
【０００２】
円錐ころ等のころ軸受に於いて、一般にかご型保持器は、組立て前に、予め保持器の径を組立て完了時より広げ、保持器の各ポケットに、ころを収めた状態で形成されるころの最小内接円径が内輪の小径側鍔外径よりも大きくなるようにしておくことで、内輪の組み込みを可能にしている。
【０００３】
そして、内輪を組み込んだ後、外側よりプレス型を押し付けるなどして、保持器を塑性変形して収縮させることによって、保持器ポケット部に入れたころのあそびを規制して、ころが小径側鍔を乗り越えられない状態にする。
【０００４】
組立て後に、保持器の径を収縮させる加締め工程において、空間的な制約により、受側の型を保持器の内側に入れることが出来ないため、保持器の外側からのみプレス型を押しつけて、保持器を塑性変形させるのが一般的である。
【０００５】
このため、保持器の変形誤差分を見込んで、ポケット部ところとのあそびとなる隙間を、予め広めに取らなくてはならず、機能上、最適なあそびを塑性変形後に得ることは極めて難しい。
【０００６】
場合によっては、保持器の精度に悪影響がおよび、軸受性能低下の要因となる。また、このような組立て方法では、工数が多く、生産性向上の妨げになっていた。そして、このような組立て方法では、保持器およびころと内輪との分解が不可能となる。
【０００７】
このような対策として、特許文献１には、加締めをせずに、保持器およびころと内輪を組立てることができ、組立後には、ころの姿勢制御を良好に行える円錐ころ軸受が開示してある。
【特許文献１】特開２００３−１８４８９３号公報
【発明の開示】
【発明が解決しようとする課題】
【０００８】
しかしながら、上記特許文献１に開示した方法では、柱部逃げとリング逃げを設けるための工程が必要であるといったことがある。
【０００９】
このようなことから、従来の工程のままでありながら、加締めをしないで、組立てる方法が要望されている。
【００１０】
本発明は、上述したような事情に鑑みてなされたものであって、組立性の向上及び性能の向上を図ることができると共に、メンテナンス性の容易化を図ることができる、ころ軸受を提供することを目的とする。
【課題を解決するための手段】
【００１１】
上記の目的を達成するため、本発明の請求項１に係るころ軸受は、一対の軌道輪の間に、ころが転動自在に介装してあり、 かご型保持器を用いたころ軸受に於いて、
少なくとも一方の前記軌道輪は、少なくとも１箇所の鍔を有し、
前記保持器の柱に、１箇所の割れ目が設けてあることを特徴とする。
【００１２】
本発明の請求項２に係るころ軸受は、前記保持器の柱に設けた１箇所の割れ目により、前記保持器を円周方向に弾性変形して、前記軌道輪の鍔部を乗り越えることが可能であることを特徴とする。
【００１３】
本発明の請求項３に係るころ軸受は、円錐ころ軸受であることを特徴とする。
【発明の効果】
【００１４】
本発明によれば、保持器の柱の軸方向に１箇所のみ割れ目を設ける。こうしておけば、その１箇所の合口部でのみ分離することにより、円周方向に容易に内輪小鍔を乗り越えることが可能で、乗り越え後は小鍔を乗り越えることができない状態に戻るように弾性変形させることが出来る。
【００１５】
ころと保持器を内輪に組み込む際、ころが内輪小鍔を乗り越えられる分(ころ最小内接円径＞内輪小鍔径)だけ、保持器を円周方向に弾性変形させ、小径側より内輪を挿入すればよい。
【００１６】
こうすることで、組立後は、使用中でも小鍔部から保持器が外れることは無いので、円錐ころ軸受のかご型保持器において、保持器の底押しを行う必要が無く、保持器の加締めを行う必要も無い。従って、組立性の向上及び性能の向上を図ることができる。
【００１７】
上記保持器を有するころ軸受は、弾性変形可能なので、このままの状態で、保持器、ころ、内輪を傷つけずに分解出来るので、メンテナンスを容易に行うことが出来る。
【発明を実施するための最良の形態】
【００１８】
以下、本発明の実施の形態に係るころ軸受を図面を参照しつつ説明する。
【００１９】
図１は、本発明の実施の形態に係り、内輪、円錐ころ、及び保持器を備えた円錐ころ軸受の斜視図である。
【００２０】
図２は、図１に示した、内輪、円錐ころ、及び保持器を備えた円錐ころ軸受の分解斜視図である。
【００２１】
本実施の形態では、内輪１と、外輪（図示略）とを備えた円錐ころ軸受に於いて、内輪１と外輪（図示略）との間には、転動体としての円錐ころ２が介装してある。この円錐ころ２は、かご型保持器３により、所定間隔に維持してある。また、内輪１には、小径側鍔１ａと、大径側鍔１ｂとが形成してある。
【００２２】
本実施の形態では、保持器３の柱の軸方向に、１箇所のみ割れ目４が設けてある。
【００２３】
こうしておけば、割れ目４の１箇所の合口部でのみ分離することにより、円周方向に容易に内輪１の小径側鍔１ａを乗り越えることが可能で、乗り越え後は小径側鍔１ａを乗り越えることができない状態に戻るように弾性変形させることが出来る。
【００２４】
円錐ころ２と保持器３を内輪１に組み込む際、従来のかご型保持器３を有する円錐ころ軸受と同様、円錐ころ２と保持器３を予め組んでおく。ただし、保持器３を底押して塑性変形させる必要は無い。
【００２５】
円錐ころ２と保持器３を内輪１に組み込む際、円錐ころ２が内輪１の小径側鍔１ａを乗り越えられる分(円錐ころ２の最小内接円径＞内輪１の小鍔側径１ａ)だけ、保持器３の合口（割れ目４）から保持器３を円周方向に弾性変形させ、小径側より内輪１を軸方向に組み込む。
【００２６】
こうすることで、組立後は、使用中でも小径側鍔１ａから保持器３が外れることは無いので、円錐ころ軸受のかご型保持器３において、保持器３の底押しを行う必要が無く、保持器３の加締めを行う必要も無い。従って、組立性の向上及び性能の向上を図ることができる。
【００２７】
割れ目４は、円錐ころ３の保持を考慮して非ポケット部に入れることが望ましい。
【００２８】
割れ目４を入れるのは、保持器３を従来のかご型保持器３の形状に加工後、通常の工具による切断の他、レーザー等の非接触による方法やせん断応力を保持器３の厚さ方向に加えることにより可能である。
【００２９】
この場合、内部方向に圧縮応力が作用するように製造しておけば、割れ目４を入れた後のその割れ目４同士の面が接触するので、保持器３の形状が割れ目４を入れる前の形状に保たれるとともに、割れ目４が潤滑剤等の動きに影響することが無いので好ましい。
【００３０】
たとえば、割れ目４を入れた後に熱処理を施すことにより可能となる。なお、従来の形状のかご型保持器３を製造後割れ目４を入れるのでは無く、帯状の薄板を丸めることにより割れ目４を有する保持器３を製造することも可能である。
【００３１】
この場合は、帯状の薄板の接合部が割れ目４に相当する。これらの材質としては、冷間圧延材のＳＰＣＣ、熱間圧延材のＳＰＨＤ及び炭素鋼のＳ２５Ｃ等が挙げられる。Ｓ２５Ｃの場合は通常切削加工で製造する。
【００３２】
このとき、割れ目４を柱部に入れた方がポケット部に入れた場合より割れ目の接触面積が広くなり、接触状態が安定する。
【００３３】
上記保持器を有する円錐ころ軸受は、割れ目４を溶接等の接合を行わない場合は、再度弾性変形可能なので、このままの状態で、保持器３、円錐ころ２、内輪１を傷つけずに分解出来るので、メンテナンスを容易に行うことが出来る。
【００３４】
なお、メンテナンス性より回転時の強度を優先させる場合は、保持器３を挿入後、割れ目４を溶接やろう付け等で接合して用いることができる。割れ目４が入ることや接合により、回転時のアンバランスとなる場合は、バランス修正することにより振動の問題を解決できる。
【００３５】
なお、本発明は、上述した実施の形態に限定されず、種々変形可能である。
【図面の簡単な説明】
【００３６】
【図１】本発明の実施の形態に係り、内輪、円錐ころ、及び保持器を備えた円錐ころ軸受の斜視図である。
【図２】図１に示した、内輪、円錐ころ、及び保持器を備えた円錐ころ軸受の分解斜視図である。
【符号の説明】
【００３７】
１  内輪
１ａ  小径側鍔
１ｂ  大径側鍔
２  円錐ころ
３  保持器
４  割れ目
【図１】
2006250290.tif 000003
【図２】
2006250290.tif 000004